(57)【要約】      （修正有）【課題】構造が簡単で押圧捻回による係止と、捻回による解放というきわめて迅速，簡単に操作可能の移動型間仕切りウォールの係止装置の提供。【解決手段】ウォール単体の側辺に設けられる係止孔にはウォール単体内部に横方向移動可能のキー孔８を備える操作杆９を臨ませ、この操作杆９にはパネの張力に対抗して横方向に移動できる螺杆を当接し、この螺杆の前部中間に、上下方向に拡開する一対の斜杆１９を枢支し、さらにこの斜杆１９には上下方向に可動できる上杆及び下杆を枢支させ、かつ前記螺杆を挿通支持する縦案内板に沿って摺動可能とし、この上杆及び下杆のいずれかのウォール単体の上辺と下辺に設けられる前記係止片７を接続すると共に、前記係止孔７の操作杆のキー孔８に対して押圧キー２１を備え、この押圧キー２１の押圧押入操作と捻回操作による進入係止又は係止解除を行うことができるようにした移動型ウォールの係止装置。【選択図】図２
0003148017.tif 000002
【実用新案登録請求の範囲】
【請求項１】
部屋を構成する空間の天井に配設したレールに沿って移動できる多数の間仕切り用の長方形のウォール単体を、予め設定された大きさの間仕切りを設定する際、ウォール単体の下辺または上辺と下辺に設けられる空間の床面又は床面と天井に上下動自在の係止片を係止させてウォール単体の移動を阻止して固定する移動型間仕切りウォールの係止装置であって、
ウォール単体の側辺に係止孔を設け、この係止孔にはウォール単体内部に横方向移動可能のキー孔を備える操作杆を臨ませ、この操作杆にはパネの張力に対抗して横方向に移動できる螺杆を当接し、この螺杆の前部中間に、上下方向に拡開する一対の斜杆を枢支し、さらにこの斜杆には下または上下方向に可動できる下杆または上杆及び下杆を枢支させ、かつ前記螺杆を挿通支持する縦案内板に沿って摺動可能とし、この下杆又は上杆及び下杆のいずれかのウォール単体の下辺または上辺と下辺に設けられる前記係止片を接続すると共に、前記係止孔の操作杆のキー孔に対して着脱自在の押圧キーを備え、この押圧キーの押圧押入操作と捻回操作により操作杆の進入係止又は押圧キーの反対方向への捻回操作により係止解除を行うことができるようにして成ることを特徴とする移動型間仕切りウォールの係止装置。
【請求項２】
操作杆には係止突片を設け、係止孔に形成される前後２つの係止部と係合可能として成ることを特徴とする請求項１記載の移動型間仕切りウォールの係止装置。
【考案の詳細な説明】
【技術分野】
【０００１】
本考案は、スライディングウォール（登録商標）とかランニングウォールなどの床面上を任意の広さに仕切るために用いられる移動型間仕切りウォールの係止装置に関する。
【背景技術】
【０００２】
この種の移動型間仕切りウォールは、多数の長方形状のウォール単体を天井に設けられるレールに沿って吊下状態で床面上を移動させ、予め定められた広さの間仕切りができるようになっている。そして、間仕切りとして使用しない場合は、部屋の片隅部に寄せ集めて重ね合わせた状態で整理して置いて、部屋全体を広く利用できるようになっている（例えば、特許文献１，２参照）。
【０００３】
そして多数のウォール単体は、予め設定された広さの間仕切りを形成するとウォール単体の移動を阻止するための係止片をウォール単体の下辺または上辺と下辺に設けた係止片を上下動させて床面のみまたは床面と天井に係止させて不用意に間仕切りが崩れるのを防止している。
【特許文献１】特開平１０−１４０９２０号公報
【特許文献２】特開平７−２５２９７７号公報
【考案の開示】
【考案が解決しようとする課題】
【０００４】
上述の特許文献１，２に示される移動型ウォールでは、ウォール単体の係止構造は明示されていないが、概して、構造が複雑で、しかもハンドルレバーによる回転操作によって、各ウォール単体の下辺または上辺と下辺に設けられる係止片を上下動させており、操作性が極めて悪く時間が掛かり、迅速，能率的な間仕切りができないという不都合があった。
【０００５】
さらに、構造が複雑で安価量産に適さないという問題もあった。
【０００６】
本考案は叙上の点に着目して成されたもので、構造が簡単で押圧捻回による係止と、捻回による解放というきわめて迅速，簡単に操作可能の移動型間仕切りウォールの係止装置を提供することを目的とする。
【課題を解決するための手段】
【０００７】
以下に、本考案の技術内容を示す。
【０００８】
（１）部屋を構成する空間の天井に配設したレールに沿って移動できる多数の間仕切り用の長方形のウォール単体を、予め設定された大きさの間仕切りを設定する際、ウォール単体の下辺または上辺と下辺に設けられる空間の床面又は床面と天井に上下動自在の係止片を係止させてウォール単体の移動を阻止して固定する移動型間仕切りウォールの係止装置であって、
ウォール単体の側辺に係止孔を設け、この係止孔にはウォール単体内部に横方向移動可能のキー孔を備える操作杆を臨ませ、この操作杆にはパネの張力に対抗して横方向に移動できる螺杆を当接し、この螺杆の前部中間に、上下方向に拡開する一対の斜杆を枢支し、さらにこの斜杆には下または上下方向に可動できる下杆または上杆及び下杆を枢支させ、かつ前記螺杆を挿通支持する縦案内板に沿って摺動可能とし、この下杆又は上杆及び下杆のいずれかのウォール単体の下辺または上辺と下辺に設けられる前記係止片を接続すると共に、前記係止孔の操作杆のキー孔に対して着脱自在の押圧キーを備え、この押圧キーの押圧押入操作と捻回操作により操作杆の進入係止又は押圧キーの反対方向への捻回操作により係止解除を行うことができるようにして成ることを特徴とする移動型間仕切りウォールの係止装置。
【０００９】
（２）操作杆には係止突片を設け、係止孔に形成される前後２つの係止部と係合可能として成ることを特徴とする請求項１記載の移動型間仕切りウォールの係止装置。
【考案の効果】
【００１０】
本考案によれば、ウォール単体の固定係止には、押圧キーをウォール単体の側面に設けた係止孔内に押入して操作杆のキー孔に係止し、ついで捻回するだけの操作でウォール単体の下辺又は上辺と下辺に設けた係止片を、床または床面と天井の面と係止してきわめて簡単に固定させることができる。
【００１１】
また、固定を解除するためには、押圧キーの押圧押入位置において捻回させるだけで操作杆の係止突片の係合を解くこととなり、内蔵したバネの復元力によって係止片と床面又は天井面との係止を外してウォール単体の移動を可能とすることができる。
【００１２】
この種の移動型ウォールの間仕切り作業の迅速性について、簡単な押圧キーの押圧捻回という操作によるワンタッチによるクイック操作ができる。
【考案を実施するための最良の形態】
【００１３】
以下本考案を実施するための最良の形態を、実施例により詳しく説明する。
【実施例】
【００１４】
図面において、１，１……は、多数の仕切り用の長方形ウォール単体を示し、例えば、不使用時には図５に示すように部屋の空間Ａの一側に実線で示すように整理集束されており、間仕切りとして用いる時は、天井（図示せず）に穿ったレールに沿って、手前のウォール単体１から順次と仮想線のように引き出し、予め設定された仕切りに配列して所望の部屋を区劃できる。
【００１５】
２はウォール単体１の上下辺の配設した係止片であって、必要に応じて上辺の係止片は省略することもある。以下同じ。
【００１６】
３，３は前記係止片２を上下動させるための上杆，下杆、４は前記上杆３，下杆３の他端を支持するチャンネル構成の縦案内板を示し、上下一対の枠板５，５で支持固定されている。６，６はコイルバネで、上杆３，下杆３をウォール単体１の上辺，下辺側に接触させて置くように引張るバネ張力を働かせている。
【００１７】
７はウォール単体１の一側辺の設けた係止孔で、ロック形状（図示では六角形凹状）のキー孔８を備える操作杆９を臨ませてあり、前記係止孔７には円筒部１０が形成され、前記操作杆９は、この円筒部１０内で横方向に摺動できるようになっている。１１は操作杆９に設けたピン状の係止突片で、前記円筒部１０に設けた横溝１２に係入して摺動できるようになっている。１３はピン状の係止突片１１が係止する切欠された係止部で、円筒部１０の先端に設けられており、操作杆９が前方に摺動して回転すると操作杆９の係止突片１１は横溝１２より離脱して切欠された係止部１３に係合され、前方の係止部を形成している。
【００１８】
１４は操作杆９の先端に設けた突杆で、前記縦案内板４に挿通した螺杆１５を挿通させた孔１６に対し、螺杆１５の先端にナット１７を螺合させて抜脱防止を図ると共に、螺杆１５の前部中程に膨出部１８を設け、上下斜め方向に向う一対の斜杆１９，１９の一端を回動自在に枢支し、また斜杆１９，１９の他端を前記下杆３，上杆３の端部と同様に回動自在に枢支させるものである。
【００１９】
２０は、螺杆１５の自由端側に調整ナット２４で調節自在に挿通した中間筒で、前記操作杆９の突杆１４が係入でき、先端と衝接させてある。２１は係止孔７に係入し、操作杆９のキー孔８と係合する六角形状の先端を有する押圧キーを示す。
【００２０】
なお、２２は上杆３，下杆３に設けた係止片２の当接を緩和するためのコイルバネ、２３は係止突片１１が係止できる横溝１２の基端の係止部を示す。
【００２１】
上述した構成は、係止片２を除き他のすべての構成は、それぞれのウォール単体1の内部に配設隠蔽されて表面から見ることはできない構成となっている。
【００２２】
叙上の構成に基づいて作用を説明する。
【００２３】
図５に示す状態に整理集束された状態よりウォール単体１，１……を順次と引き出し、所定の間仕切り状態に並設した状態において、作業者は各ウォール単体１，１を移動しないように固定させなければならない。
【００２４】
各ウォール単体１，１……の一側辺に設けた係止孔7に押圧キー２１を挿し込み、操作杆９のキー孔８のロック形状と押圧キー２１の先端を係合させる。
【００２５】
ついで、押圧キー２１を押入させると、操作杆９は前進し、同時に突杆１４も中間筒２０を押し乍ら前進する。中間筒２０の前進で螺杆１５も同様に前進するので、膨出部１８に枢支されていた一対の斜杆１９，１９は拡開し、上下杆３，３をコイルバネ６の張力に抗して上行，下行させることができる。この上杆３，下杆３には必要な係止片２と接続してあるので、ウォール単体１の上辺と下辺に設けてある係止片２を床面または天井と床面と当接し、ウォール単体１，１……の移動を確固に固定させることができる。
【００２６】
押圧キー２１は押入操作後、捻回操作により係止突片１１は、横溝１２より切欠された係止部１３に係入し、ウォール単体１，１……の床面上での係止を継続できる。これにより、各ウォール単体１，１……による間仕切りを移動する不都合なく確実に形成できる。
【００２７】
単に押圧キー２１の押入と捻回の簡単な操作で間仕切りが形成できる。
【００２８】
他方、間仕切りを解除するときは、反対に押圧キー２１を係止孔７内に挿入して逆方向へ捻回させると切欠された係止部１３に係止されていた突起状の係止突片１１が外れ、圧縮されていたコイルバネ６，６の反対復元張力によって、一対の斜杆１９，１９は押し下げられて螺杆１５は反動し、かつ上杆３と、上杆３がコイルバネ２２の復元張力によって係止片２を上辺と下辺の側辺に復帰し、ウォール単体１，１……の係止が解放される移動可能な状態とすることができる。
【００２９】
また押圧キー２１は捻回操作だけで係止孔７より引き抜いて取り出すことができる。
【００３０】
係止が解除されたウォール単体１，１……は、天井のレールを利用して再び元の整理集束状態に移動させることができる。
【００３１】
以上述べた通り、本考案によれば押圧キーを用いてウォール単体の一側辺に設けた係止孔に押入して、捻回するだけのワンタッチ操作での係止固定が可能であり、反対に係止解除でも押圧キーの挿込捻回だけの同様なワンタッチ操作で行うことができる。
【００３２】
なお、ウォール単体１の上辺の係止片２を省略するときは、図１に示す上杆３の上部の一部を切除し、コイルバネ２２も不要とするものである（図示せず）。
【図面の簡単な説明】
【００３３】
【図１】本考案に係る移動型間仕切りウォールの係止装置の概略正面図
【図２】図１の要部の一部切欠正面図であって、（ａ）は非係止状態を示し、（ｂ）は係止状態を示す。
【図３】係止孔と押圧キーとの関係を示す拡大部分斜視図
【図４】操作杆のピン状の係止突片と切欠した係止部との非係止，係止の状態を示す部分拡大斜視図
【図５】移動型間仕切りウォールの一般概念を示す正面図
【符号の説明】
【００３４】
１，１……  ウォール単体
２    係止片
３，３  上杆，下杆
４    縦案内板
５    枠板
６    コイルバネ
７    係止孔
８    キー孔
９    操作杆
１０    円筒部
１１    係止突片
１２    横溝
１３    切欠された係止部
１４    突杆
１５    螺杆
１６    孔
１７    ナット
１８    膨出部
１９    斜杆
２０    中間筒
２１    押圧キー
２２    コイルバネ
２３    基端の係止部
２４    調整ナット
Ａ      空間
【図１】
0003148017.tif 000003
【図２】
0003148017.tif 000004
【図３】
0003148017.tif 000005
【図４】
0003148017.tif 000006
【図５】
0003148017.tif 000007